(57)【要約】【課題】部品点数を減らし、コストを抑制することが可能なオプション搭載機能を有する画像形成装置を提供する。【解決手段】画像形成装置の装置本体１上方に画像読取り装置１０を設置して複写装置とし得るため、増設排紙トレイ２の支持部材１１を、増設排紙トレイ２の支持脚８を差し込むための差し込み口９を構成する本体部分１２と、その上方に延設した受け部１３とから構成する。受け部１３は、内側縁を斜面状に形成して画像読取り装置１０を設置する際のガイド形状部１４とする。画像読取り装置１０を装着する時に画像読取り装置１０を降ろして行く際に位置がぶれても、ガイド形状部１４により間違いなく受け部１３へガイドし、画像読取り装置１０を正規の姿勢で装着可能とする。【選択図】        図３
2004191499.tif 000002
【特許請求の範囲】
【請求項１】
装置本体上部に転写紙の排出部を有し、さらに該排出部の上方に増設排紙トレイを接続設置可能な画像形成装置において、上記増設排紙トレイを支持する部材が、増設排紙トレイ用の接続部と、画像読取り装置の積載部とをともに有することを特徴とする画像形成装置。
【請求項２】
請求項１の画像形成装置において、上記支持部材が上記画像読取り装置の装着ガイド部を有することを特徴とする画像形成装置。
【請求項３】
請求項１または２の画像形成装置において、上記支持部材が、上記画像読取り装置との間に配する振動遮断手段を有することを特徴とする画像形成装置。
【発明の詳細な説明】
【０００１】
【発明の属する技術分野】
本発明は、プリンタ、複写機、ファクシミリ等の電子写真方式を用いた画像形成装置に関する。
【０００２】
【従来の技術】
近年、プリンタ等の画像形成装置は、転写紙を装置本体の上方に排出するよう構成してあるものが多い。またこのような構成の画像形成装置では、拡張機能として複数ビン排紙トレイの増設等のオプションが用意されているものがある。
【０００３】
これらオプション品は、省スペースの観点から装置本体の上方に設置するようになっていることが多く、また装置本体の上方には画像読取り装置を設置して複写装置として市場へ提供することもある。
【０００４】
【発明が解決しようとする課題】
このような画像形成装置では、オプション品がそれぞれ接続支持手段を必要とし、その存在のために部品点数の増大を招いていた。また増設するオプション品を装置本体の上方から設置すると、画像形成装置の操作するオペレータの視認性が損なわれ、設置不良が発生する可能性が高かった。さらに画像読取り装置を増設して複写装置としたものの場合には、画像形成装置側や画像読取り装置側を発信源とする想定外の振動が相手装置へ伝播することにより、形成する画像に悪影響が生じる可能性があった。
【０００５】
本発明は上記従来の問題点にかんがみ、部品点数を減らし、コストを抑制することが可能なオプション搭載機能を有する画像形成装置を提供することを目的とする。
【０００６】
また本発明はオプション増設時の設置性の向上を図った画像形成装置を提供することを目的とする。
【０００７】
さらに本発明は装置本体とこれに搭載する画像読取り装置の間の振動伝播防止により、画像品質の安定化を図った画像形成装置を提供することを目的とする。
【０００８】
【課題を解決するための手段】
本発明の請求項１に係る画像形成装置は、上記目的を達成するために、装置本体上部に転写紙の排出部を有し、さらに該排出部の上方に増設排紙トレイを接続設置可能な画像形成装置において、上記増設排紙トレイを支持する部材が、増設排紙トレイ用の接続部と、画像読取り装置の積載部とをともに有することを特徴とする。
【０００９】
同請求項２に係るものは、上記目的を達成するために、請求項１の画像形成装置において、上記支持部材が上記画像読取り装置の装着ガイド部を有することを特徴とする。
【００１０】
同請求項３に係るものは、上記目的を達成するために、請求項１または２の画像形成装置において、上記支持部材が、上記画像読取り装置との間に配する振動遮断手段を有することを特徴とする。
【００１１】
【発明の実施の形態】
以下本発明の実施の形態を図面を参照して説明する。
図１は、本発明の実施対象となる画像形成装置の構成を示す分解図である。図中１は装置本体、２はオプションの増設排紙トレイ、３は画像形成ユニット、４はフィニッシャ、５ａ、５ｂ、５ｃは着脱可能な給紙テーブルで、増設排紙トレイ２は装置本体１の上方に搭載し、画像形成ユニット３は装置本体１内に搭載する。装置本体１は、状部に排紙部６を備えている。
【００１２】
装置本体１に取り付けた給紙テーブル（例えば給紙テーブル５ａ）から給紙された転写紙は、装置本体１内の画像形成ユニット３で画像形成され、排紙部６へ排出される。オプション品である増設排紙トレイ２は、この排紙部６上方に設置してあり、仕分けなどのための複数ビンとして機能するようになっている。
【００１３】
図２は、図１の画像形成装置において増設排紙トレイ２を装置本体１上に取り付ける状態を示す斜視図である。まず図２（Ａ）に示すように、装置本体１の状部にあるカバー７を外し、増設排紙トレイ２の一対の支持脚８、８を装着するための差し込み口９、９を露出させる。ついで増設排紙トレイ２の支持脚８、８を差し込み口９、９に挿入し、後述する支持部材により支持脚８を固定する。
【００１４】
図３は本発明実施形態の支持部材を示す斜視図であり、装置本体１の上方に画像読取り装置１０を設置して複写装置としたものである。本例の支持部材１１は、増設排紙トレイ２の支持脚８を差し込むための差し込み口９を構成する本体部分１２と、その上方に延設した受け部１３とから構成してある。
【００１５】
受け部１３は、図示のように内側縁を斜面状に形成して画像読取り装置１０を設置する際のガイド形状部１４としてある。そのため作業者の視認性が悪くて画像読取り装置１０を装着する時に画像読取り装置１０を降ろして行く際に位置がぶれても、ガイド形状部１４により、間違いなく受け部１３へガイドされ、画像読取り装置１０が正規の姿勢で装着されるようになっている。
【００１６】
図４は本発明他の実施形態の支持部材を示す斜視図である。この支持部材２１は、受け部１３の一方に９０度に曲折したフランジ２２を設け、このフランジ２２と差し込み口９をなす縁の一部とに、ゴムなどの防振部材２３を追加した構成としてある。すなわち、画像読取り装置１０や装置本体１から発せられる画像形成に有害な振動を防振部材２３により遮断できるようにしてある。
【００１７】
【発明の効果】
本発明の請求項１に係る画像形成装置は、以上説明してきたように、装置構成を上方へ拡張するための増設装置の支持部材を統一することにより、部品点数を最小限に抑え、コストを抑制できるという効果を奏する。
【００１８】
同請求項２に係る画像形成装置は、以上説明してきたように、増設装置の支持部材に案内形状を付加することで、上記共通の効果に加え、増設装置の設置の確実性を向上させ得るという効果がある。
【００１９】
同請求項３に係る画像形成装置は、以上説明してきたように、支持部材に防振手段を付加することで、上記共通の効果に加え、増設装置との間の有害な振動の伝播を遮断して画像の劣化を防止し得るという効果がある。
【図面の簡単な説明】
【図１】本発明の実施対象となる画像形成装置の構成を示す分解図である。
【図２】図１の画像形成装置において増設排紙トレイを装置本体上に取り付ける状態を示す斜視図である。
【図３】本発明実施形態の支持部材を示す斜視図である。
【図４】本発明他の実施形態の支持部材を示す斜視図である。
【符号の説明】
１  装置本体
２  増設排紙トレイ
３  画像形成ユニット
４  フィニッシャ
５ａ、５ｂ、５ｃ  給紙テーブル
６  排紙部
７  カバー
８  支持脚
９  差し込み口
１０  画像読取り装置
１１  支持部材
１２  支持部材の本体部分
１３  受け部
１４  ガイド形状部
２１  支持部材
２２  フランジ
２３  防振部材
【図１】
2004191499.tif 000003
【図２】
2004191499.tif 000004
【図３】
2004191499.tif 000005
【図４】
2004191499.tif 000006